(57)【要約】      （修正有）【課題】通常の収納容器としての用途以外に利用することができる表示部付きペール缶を提供する。【解決手段】ペール缶Ｐの表面の一部または大部分を利用して案内表示部１０を設ける。該案内表示部１０に、ペール缶Ｐが収納する物品と関係のない写真、図柄、メッセージのいずれか又はこれらの組合せからなる表示を施してペール缶Ｐを表示具として利用する。案内表示部１０の写真として、風景写真、名物写真、見所写真のいずれかまたはこれらの組合せからなる表示を施し、ペール缶Ｐを観光案内用として構成する。金属印刷によって案内表示部１０を設ける。案内表示部１０は、金属板の表面に、下地処理塗装層と、印刷層と、印刷コート層とで構成する。【選択図】図１
0003173265.tif 000002
【実用新案登録請求の範囲】
【請求項１】
ペール缶の胴体表面の一部に案内表示部が設けられ、該案内表示部に、ペール缶が収納する物品と関連のない写真、図柄、メッセージのいずれか又はこれらの組合せからなる表示が施され、ペール缶を表示具として構成したことを特徴とする表示部付きペール缶。
【請求項２】
前記案内表示部の前記写真は、風景写真、名物写真、見所写真のいずれか又はこれらの組合せからなる表示が施され、ペール缶を観光案内用の表示具として構成した請求項１記載の表示部付きペール缶。
【請求項３】
前記案内表示部は、蛍光塗料による夜間の案内表示が施され、ペール缶を夜間案内用の表示具として構成した請求項１記載の表示部付きペール缶。
【請求項４】
前記案内表示部は、金属印刷によって設けられ、ペール缶の胴体を構成する金属板の表面に、下地処理塗装層と、印刷層と、印刷コート層とで構成する請求項１乃至３いずれか記載の表示部付きペール缶。
【請求項５】
前記案内表示部は、印刷手段、貼着手段、転写手段のいずれか又はこれらの組合せにより表示された請求項１乃至３いずれか記載の表示部付きペール缶。
【考案の詳細な説明】
【技術分野】
【０００１】
本考案は、表面に案内表示部を備えたペール缶に係り、通常の収納容器としての用途以外に利用することができる表示部付きペール缶に関するものである。
【背景技術】
【０００２】
ペール缶は容量１８リットル〜２０リットル程度の円筒形の容器で、ドラム缶を小型化したような形を成し、例えば、オイル等を収納してガソリンスタンド等で使用されている。
【０００３】
一方、金属の表面に印刷を施す手法として、オフセット印刷法やグラビア印刷法、フレキソ印刷法などの版を使用する印刷法があり、これらの手法で印刷処理を施した金属缶なども多く提案されている。例えば、特許文献１には、金属板から円筒缶体を形成した後、印刷層を有する熱可塑性樹脂フィルムを、その円筒缶体の加熱した缶胴部に、熱硬化性樹脂からなる接着剤層を介して熱接着することによりフィルム貼着缶体を製造する電子印刷フィルム貼着缶の製法が記載されている。
【先行技術文献】
【特許文献】
【０００４】
【特許文献１】特許３５２４３３３号公報
【考案の概要】
【考案が解決しようとする課題】
【０００５】
これまでのペール缶は、オイル等の液体を収納する容器として使用されている。そのため、印刷処理を施した印刷ペール缶は、収納した液体の種類やメーカー名などが印刷されているものである。
【０００６】
ところが、このペール缶は容量１８リットル〜２０リットル程度の容器であることから、容器自体の表面積が、飲料缶などと比較して格段に広い面積を有している。しかも、ペール缶はドラム缶と比較して持ち運びが容易であるという利点もある。そのため、ガソリンスタンドなどでは、多くのペール缶が使用されている。
【０００７】
そこで、当考案者は、このペール缶に備えられた表面積と持運び易さに注目したもので、ペール缶の一部表面に、容器とは全く関係のない表示部を設けることで、このペール缶を広告媒体や緊急避難用の表示具などとして利用することが可能な表示部付きペール缶の提供を目的とするものである。
【課題を解決するための手段】
【０００８】
上述の目的を達成すべく本考案における第１の手段は、ペール缶Ｐの胴体１表面の一部に案内表示部１０が設けられ、該案内表示部１０に、ペール缶Ｐが収納する物品と関連のない写真、図柄、メッセージのいずれか又はこれらの組合せからなる表示が施され、ペール缶Ｐを表示具として構成したことにある。
【０００９】
第２の手段は、前記案内表示部１０の前記写真は、風景写真、名物写真、見所写真のいずれか又はこれらの組合せからなる表示が施され、ペール缶Ｐを観光案内用の表示具として構成したものである。
【００１０】
第３の手段において、前記案内表示部１０は、蛍光塗料による夜間の案内表示が施され、ペール缶Ｐを夜間案内用の表示具として構成している。
【００１１】
第４の手段の前記案内表示部１０は、金属印刷によって設けられ、ペール缶Ｐの胴体１を構成する金属板１１の表面に、下地処理塗装層１２と、印刷層１３と、印刷コート層１４とで構成するものである。
【００１２】
第５の手段において、前記案内表示部１０は、印刷手段、貼着手段、転写手段のいずれか又はこれらの組合せにより表示されたものである。
【考案の効果】
【００１３】
本考案の請求項１によると、ペール缶Ｐの表面の一部または大部分を利用して案内表示部１０を設け、該案内表示部１０に、ペール缶Ｐが収納する物品と関係のない写真、図柄、メッセージを表示し、ペール缶Ｐを表示具として利用するものであるから、比較的広い面積を有するペール缶Ｐの表面積を利用して、通常の収納容器としての用途以外の表示具として利用することができるものになった。しかも、ペール缶Ｐは持運びが容易であるから、複数のペール缶Ｐの案内表示部１０を任意に組合せて配置することで、表示効果をより高めることが可能である。
【００１４】
請求項２のように、案内表示部１０に、風景写真、名物写真、見所写真からなる表示を施し、ペール缶Ｐを観光案内用として構成した場合は、例えばペール缶Ｐを置いている土地の観光案内として利用することが可能になる。しかも、この案内表示部１０が、通常のペール缶Ｐ以上の注目を集めるから、ペール缶Ｐに表示している通常の表示もアピールすることになる副次的な効果も得られる。
【００１５】
請求項３のように、案内表示部１０に、蛍光塗料による夜間用の表示を施し、ペール缶Ｐを夜間案内表示用として構成することで、本考案ペール缶を並べておくと、夜間用でも目立つ表示が可能になる。この結果、例えば、夜間停電時に侵入路等を蛍光の矢印で示すことができる等といった利用が可能になる。また、夜間工事の案内としての利用も可能であるから、例えば、道路工事業者等は、燃料やオイルタンクで使用しているペール缶を夜間の案内表示具として利用することができるものである。
【００１６】
請求項４のごとく、案内表示部１０は、金属印刷によって設けられ、ペール缶Ｐの胴体１を構成する金属板１１の表面に、下地処理塗装層１２と、印刷層１３と、印刷コート層１４とで構成したことで、写真のような表示でも極めて繊細に表示することが可能になり、ペール缶Ｐに施した写真によるリアルな案内表示を行うことができる。
【００１７】
請求項５のごとく、案内表示部１０は、印刷手段、貼着手段、転写手段のいずれか又はこれらの組合せにより表示されたものとすることで、目的によって最適な表示手段を選択することが可能になる。
【図面の簡単な説明】
【００１８】
【図１】本考案の一実施例を示す斜視図である。
【図２】本考案の案内表示部の一実施例を示す要部断面図である。
【図３】本考案の他の実施例を示す斜視図である。
【図４】本考案の案内表示部の他の実施例を示す要部断面図である。
【考案を実施するための形態】
【００１９】
本考案によると、ペール缶を通常の収納容器としての用途以外に利用することができる表示部付きペール缶を提供することに成功した。
【００２０】
以下、本考案の実施例を説明する。本考案は、胴体１の上部開口部位に蓋体２が設けられ、把手３を有するペール缶Ｐを利用するものである。
【００２１】
このペール缶Ｐの表面の一部または大部分を利用して案内表示部１０を設ける。この案内表示部１０には、ペール缶Ｐが収納する物品と関係のない写真、図柄、メッセージのいずれか又はこれらの組合せからなる表示を施すことで、該ペール缶Ｐを表示具として利用するものである。図示例では、案内表示部１０が見える位置から、収納物に関する通常の表示面が見えないように構成しているが、両方の表示を同時に見えるように構成することも可能である。
【００２２】
この案内表示部１０に、風景写真、名物写真、見所写真からなる表示が施し、ペール缶Ｐを観光案内用として構成する（図１参照）。この案内表示部１０は、例えば、観光案内の中でもランドマークとなる建築物やお花見などの観光スポットを写した写真を表示することができる。
【００２３】
一方、案内表示部１０に、蛍光塗料による夜間用の表示を施し、ペール缶Ｐを夜間案内表示用として構成することも可能である（図３参照）。図示例では、蛍光塗料による矢印を表示している。このような案内表示部１０を利用することで、停電時のルート案内表示や道路工事の通行表示等に利用することが可能になる。
【００２４】
図２に示す案内表示部１０は、オフセット方式の金属印刷によって設けたものである。この印刷手段よると、ペール缶Ｐの胴体１を構成する金属板１１の表面に、下地処理塗装層１２と、印刷層１３と、印刷コート層１４とが構成される。
【００２５】
このほか、案内表示部１０を施す手段は、従来技術の表示手段から選択使用してもよい。例えば、他の印刷手段、貼着手段、転写手段のいずれか又はこれらの組合せにより表示を施すものである。
【実施例１】
【００２６】
図１に示す実施例は、観光案内用の案内表示部１０を表示した例を示している。この案内表示部１０には、東京スカイツリー（登録商標）と桜を撮影した写真を金属印刷により表示している（図２参照）。この印刷手段により、案内表示部１０は、金属板、下地処理塗装層、印刷層、印刷コート層の多層構造になり、写真の画像を忠実に再現することができる。
【実施例２】
【００２７】
図３に示す実施例は、蛍光塗料による夜間用の表示を施した案内表示部１０を示している。この蛍光塗料は、現在の技術では金属印刷に使用することができないので、この場合、蛍光塗料による夜間用の表示を施したシートを貼着手段で貼り付けるものである（図４参照）。したがって、ペール缶Ｐの表面に印刷シート層２０が追加されるものである。また、把手３に蛍光塗料を施すことで、夜間用の表示効果を高めることができる。
【産業上の利用可能性】
【００２８】
本考案は、例えばガソリンスタンドで使用されているオイル用のペール缶Ｐを利用する例などを説明しているが、利用するペール缶Ｐはこの例に限られるものではなく、塗料や食品等を収納するペール缶Ｐを利用することも可能である。また、本考案の各構成は図示例に限定されるものではなく、案内表示部１０の位置やサイズ、あるいは形状などは、本考案の要旨を変更しない範囲で任意に変更することができる。
【符号の説明】
【００２９】
Ｐ  ペール缶
１  胴体
２  蓋体
３  把手
１０  案内表示部
１１  金属板
１２  下地処理塗装層
１３  印刷層
１４  印刷コート層
２０  印刷シート層
【図１】
0003173265.tif 000003
【図２】
0003173265.tif 000004
【図３】
0003173265.tif 000005
【図４】
0003173265.tif 000006